(57)【特許請求の範囲】
【請求項１】
略矩形板状の底壁部と、
前記底壁部の相対する一対の側辺部からそれぞれ上方に延出する一対の第１側壁部と、
前記一対の第１側壁部の各側辺部間を連結する第２側壁部とを具備する箱型容器であって、
前記一対の第２側壁部のうち少なくとも一方において、下縁部が前記底壁部の上面によって画定される側面開口部が形成され、
前記側面開口部の下縁部に沿って回動可能に軸支され、前記側面開口部を開閉可能な扉部材を備え、
前記側面開口部が前記扉部材で閉鎖された状態から、前記扉部材を外側へ所定量開いた開状態とした場合に、前記扉部材の内面と、前記底壁部の上面とがほぼ連続した平坦面となるよう構成され、
相対する一対の前記第１側壁部の内面は、前記側面開口部の形成された前記第２側壁部側の部位が、当該第２側壁部側に向けて、相対する前記第１側壁部間の距離を短くするようにして斜めに屈曲形成されるとともに、前記側面開口部の側縁部に連接していることを特徴とする箱型容器。
【請求項２】
前記扉部材の内面には、当該扉部材の回転軸線方向に対して直交する方向に沿って延びる複数のリブ又は溝部が形成されていることを特徴とする請求項１に記載の箱型容器。
【請求項３】
前記一対の第２側壁部のうち一方の第２側壁部にのみ前記側面開口部が形成されるとともに、
同じ向きで上下に重ねることでスタッキングが行え、交互に１８０度回転させて上下に重ねることでネスティングが行える箱型容器であって、
前記各第１側壁部には、前記第１側壁部の外方に突出し、箱型容器をスタッキングした場合に下側の箱型容器の前記第１側壁部に当接して支持される複数の支脚部と、箱型容器をネスティングした場合に上側の箱型容器の前記各支脚部を収容する複数の収容凹部とが設けられ、
前記支脚部及び前記収容凹部のうち、前記支脚部の方が前記収容凹部よりも前記側面開口部の形成された前記第２側壁部に近い位置に設けられていることを特徴とする請求項１又は２に記載の箱型容器。
【発明の詳細な説明】
【技術分野】
【０００１】
本発明は、物品の運搬等に使用される箱型容器に関するものである。
【背景技術】
【０００２】
一般に、物品の運搬等に使用される箱型容器は、略矩形状の底壁部と、底壁部の４つの側辺部から上方に延出する側壁部とを備えており、上方から物品を出し入れする構成となっている。また、側壁部に開口部が形成されることで、箱型容器の側方からも物品の出し入れが行えるように構成されたものがある（例えば、特許文献１等参照。）。
【先行技術文献】
【特許文献】
【０００３】
【特許文献１】特開２００１−３２２６４２号公報
【発明の概要】
【発明が解決しようとする課題】
【０００４】
しかしながら、上記特許文献１の箱型容器は、側壁部に形成された開口部の下縁部が底壁部の上面よりも上方に位置しており、開口部の下方において側壁部が残存している。このため、開口部を介して、箱型容器に収容されている物品を取出す場合には、開口部の下方に残る側壁部を跨がせるべく、物品を斜めに持ち上げる必要があり、作業性の低下等を招くおそれがある。その一方で、開口部の下方の側壁部を省略した場合には、開口部の周縁部の強度が低下し、運搬時等において箱型容器が変形し易くなる等の不具合を招くおそれがある。
【０００５】
本発明は上記問題点を解決するためになされたものであって、その目的は、側壁部に形成された開口部から物品を取出し易くすることのできる箱型容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形板状の底壁部と、
前記底壁部の相対する一対の側辺部からそれぞれ上方に延出する一対の第１側壁部と、
前記一対の第１側壁部の各側辺部間を連結する第２側壁部とを具備する箱型容器であって、
前記一対の第２側壁部のうち少なくとも一方において、下縁部が前記底壁部の上面によって画定される側面開口部が形成され、
前記側面開口部の下縁部に沿って回動可能に軸支され、前記側面開口部を開閉可能な扉部材を備え、
前記側面開口部が前記扉部材で閉鎖された状態から、前記扉部材を外側へ所定量開いた開状態とした場合に、前記扉部材の内面と、前記底壁部の上面とがほぼ連続した平坦面となるよう構成され、
相対する一対の前記第１側壁部の内面は、前記側面開口部の形成された前記第２側壁部側の部位が、当該第２側壁部側に向けて、相対する前記第１側壁部間の距離を短くするようにして斜めに屈曲形成されるとともに、前記側面開口部の側縁部に連接していることを特徴とする箱型容器。
【０００８】
手段１によれば、側壁部において、下縁部が底壁部の上面によって画定される側面開口部が形成されている。さらに、当該側面開口部を開閉する扉部材が設けられており、当該扉部材を外側へ所定量開くことで、扉部材の内面と底壁部の上面とがほぼ連続した平坦面となるように構成されている。このため、箱型容器に収容された（底壁部の上面に設置されている）物品を側面開口部から取出す場合において、物品を持ち上げることなく底壁部の上面から扉部材の内面にかけて滑らせて、比較的スムースに箱型容器の外部にまで至らせることができる。このように、物品を開いた状態の扉部材の内面の上にまで至らせたならば、作業者は物品の真上に位置するようにして物品を持ち上げることができる。このため、例えば、側面開口部の下縁部が底壁部の上面よりも上方に位置して両者間に段差がある、又は、扉部材を開いたとしても扉部材の内面が底壁部の上面よりも上方に位置して両者間に段差がある、或いは、扉部材が設けられていないような場合のように、側面開口部を介して箱型容器から物品を直接取上げるべく、比較的無理な体勢で物品を斜め上方に持ち上げなければならないといった事態を回避することができる。従って、側面開口部を介して箱型容器から物品を取出す際の作業者の負担を軽くするとともに、作業性の飛躍的な向上を図ることができる。
【０００９】
また、開状態における扉部材の内面と、底壁部の上面とが連続面となることで、底壁部の上面と扉部材の内面との境目における物品の移行も比較的スムースに行うことができ、物品のガタツキ等に起因する各種不具合を抑制することができる。さらには、開状態にある扉部材の内面に物品を載せた上で、該物品を底壁部の上面に向けて滑らせるようにして箱型容器に収容することもできる。加えて、扉部材が設けられていることで、物品を側面開口部から取出す際に、物品が接地面に接触してしまうといった事態を抑制することができ、物品を衛生的に運搬することができる。
【００１０】
また、扉部材で側面開口部を閉鎖した状態とすれば、当該扉部材によって、側面開口部の周縁部の変形等を抑制することができる。従って、本手段のように側面開口部を比較的大きく形成した場合でも、扉部材を閉状態とすることで箱型容器の強度を高めることができ、運搬時や保管時等の形状の安定化を図ることができる。
【００１１】
尚、扉部材の内面と、底壁部の上面とがほぼ平坦になった状態からさらに扉部材を大きく開いた場合に、扉部材が底壁部の上面から突出したり、底壁部が扉部材の内面から突出したりすることなく、前記扉部材の内面と、前記底壁部の上面とがほぼ連続した屈曲面となることとしてもよい。この場合、例えば、扉部材の内面上に物品を載せれば当該物品を扉部材の内面に沿わせて自然落下させることができる程度に扉部材を開いた状態でも、底壁部の上面から扉部材の内面にかけて物品を比較的スムースに滑り出させることができる。さらに、箱型容器が台に載せられて扉部材が底壁部から垂下するまで開かれた状態でも、扉部材が底壁部の上面よりも上方に突出しないことから、扉部材に阻害されることなく物品を底壁部の上面を滑らせるようにして側面開口部から取り出すことができる。従って、利便性の向上を図ることができる。
また、手段１によれば、一対の第１側壁部の内面が第２側壁部において形成された側面開口部の側縁部に連接している。すなわち、側面開口部は、一方の第１側壁部の内面から他方の第１側壁部の内面にかけて形成されている。このため、例えば、側面開口部の両側方において第１側壁部の内面に対して直交して連接する第２側壁部を残した場合のように、側面開口部を介して箱型容器に収容されている物品を取出す際に、物品が側面開口部の両側方に位置する第２側壁部の内面に引っ掛かってしまうといった事態を回避することができる。さらに、側面開口部が極力大きく構成されることで、側面開口部を介して箱型容器の奥の方まで手が届き易くなる。従って、側面開口部を介して箱型容器から物品を取出す際の作業性をより一層向上させることができる。
また、第１側壁部は、側面開口部の形成された第２側壁部側の部位の内面が屈曲している。これにより、側面開口部の周縁部（特に両側縁部）の強度を向上させることができる。さらに、第１側壁部の内面のうち側面開口部の側縁部と連接する部位は、側面開口部に向けて内側に傾斜して延びるテーパ面となっていることから、側面開口部を介して箱型容器に収容されている物品を取出す際に、物品が第１側壁部のテーパ面に当接しても、当該テーパ面によって物品の移動が阻害されることなく、むしろ、物品が比較的スムースに側面開口部側へと案内される。従って、側面開口部を介しての物品の取出し作業性の低下を抑制しつつ、側面開口部周縁の強度の向上を図ることができる。
【００１２】
手段２．前記扉部材の内面には、当該扉部材の回転軸線方向に対して直交する方向（扉部材の高さ方向）に沿って延びる複数のリブ又は溝部が形成されていることを特徴とする手段１に記載の箱型容器。
【００１３】
手段２によれば、扉部材の内面にリブ又は溝部が形成されているため、開放された扉部材の内面上に物品を滑らせた場合の摩擦抵抗を低減させるとともに、物品が扉部材の内面に吸着する等の事態を抑止することができる。さらに、リブ（溝部）は、側面開口部を介して物品を取出す際に物品を底壁部から扉部材に滑り出させる方向（扉部材の回転軸線方向に対して直交する方向）に沿って延びているため、当該取出し作業に際して物品を扉部材の内面上に滑らせても、物品ががたついたり、リブ（溝部）に引っ掛かったりする等の事態を抑制することができる。従って、側面開口部を介して箱型容器から物品を取出す際の作業性をより一層向上させることができる。
【００１４】
尚、底壁部の上面にも、側面開口部側に向けて延びる複数のリブ又は溝部が形成されていることとしてもよい。この場合、底壁部上を滑る物品の摩擦抵抗を低減させる等の作用効果が奏され、側面開口部を介して箱型容器から物品を取出す際の作業性をより一層向上させることができる。さらに、箱型容器の内側を清掃する場合に、扉部材を開き、リブ（溝部）に入った埃等を側面開口部から掃き出すようにして比較的容易に除去することができる。
【００１５】
手段３．前記一対の第２側壁部のうち一方の第２側壁部にのみ前記側面開口部が形成されるとともに、
同じ向きで上下に重ねることでスタッキングが行え、交互に１８０度回転させて上下に重ねることでネスティングが行える箱型容器であって、
前記各第１側壁部には、前記第１側壁部の外方に突出し、箱型容器をスタッキングした場合に下側の箱型容器の前記第１側壁部に当接して支持される複数の支脚部と、箱型容器をネスティングした場合に上側の箱型容器の前記各支脚部を収容する複数の収容凹部とが設けられ、
前記支脚部及び前記収容凹部のうち、前記支脚部の方が前記収容凹部よりも前記側面開口部の形成された前記第２側壁部に近い位置に設けられていることを特徴とする手段１又は２に記載の箱型容器。
【００１６】
手段３によれば、補強用のリブ等を別途設けなくとも、スタッキング用の支脚部を活用して、側面開口部の周縁部の強度を向上させることができる。
【図面の簡単な説明】
【００２０】
【図１】扉部材が閉状態にある箱型容器を上方から見た斜視図である。
【図２】扉部材が開状態にある箱型容器を上方から見た斜視図である。
【図３】扉部材が閉状態にある箱型容器を下方から見た斜視図である。
【図４】扉部材が閉状態にある箱型容器を上方から見た斜視図である。
【図５】図２のＪ部を示す部分斜視図である。
【図６】扉部材が開状態にある箱型容器の斜視図である。
【図７】扉部材が閉状態にある箱型容器を図１のＡ−Ａ線で切断した場合の断面図である。
【図８】扉部材が開状態にある箱型容器の断面図である。
【図９】本体部を上方から見た斜視図である。
【図１０】本体部を下方から見た斜視図である。
【図１１】扉部材の外面側の斜視図である。
【図１２】扉部材の内面側の斜視図である。
【図１３】スタッキングされた箱型容器を示す斜視図である。
【図１４】ネスティングされた箱型容器を示す斜視図である。
【発明を実施するための形態】
【００２１】
以下に、一実施形態について図面を参照して説明する。図１〜図４等に示すように、箱型容器１は、上方に開口した箱型に構成されるとともに、内側に収容された物品を側方から出し入れするための掃出し開口部３（図２参照）が形成された本体部２と、掃出し開口部３を開閉可能な扉部材４とを備えている。本実施形態の箱型容器１はポリプロピレンにより構成されている。
【００２２】
まずは、本体部２について説明する。図９、図１０等に示すように、本体部２は、略矩形板状の底壁部１１と、底壁部１１の相対する長辺部からそれぞれ上方に延出する一対の第１側壁部としての長辺側側壁部１２と、底壁部１１の短辺部に沿って、一対の長辺側側壁部１２の側辺部間を連結する第２側壁部としての短辺側側壁部１３とを備え、これらが型成形により一体的に形成されている。尚、各長辺側側壁部１２及び短辺側側壁部１３の内側面は、型抜きの都合上、上方に向けて外側に若干傾斜して延びている。
【００２３】
また、掃出し開口部３は、一対の短辺側側壁部１３のうち一方に形成され、その下縁部は底壁部１１の上面によって画定されている。以下、一対の短辺側側壁部１３のうち、掃出し開口部３が形成されている方を開口側壁部１３ａと称し、掃出し開口部３の形成されていない方を閉鎖側壁部１３ｂと称する。さらに、掃出し開口部３は、相対する一対の長辺側側壁部１２の一方の内面から他方の内面にかけて形成されている。このため、開口側壁部１３ａは、一対の長辺側側壁部１２の側辺部間の上部のみを連結したような格好をなしている。
【００２４】
図４に示すように、閉鎖側壁部１３ｂは、底壁部１１の短辺部に沿って当該短辺部から上方に延出形成されている。また、閉鎖側壁部１３ｂの上部には、閉鎖側壁部１３ｂの上辺部を下方に凹ませるようにしてピッキング開口部１５が形成されている。当該ピッキング開口部１５を介して、箱型容器１の側方からでも収容されている物品を視認することができるため、収容された物品を確認しながら箱型容器１単位で仕分ける作業や、箱型容器１に収容されている物品のみを集めて回る作業を行い易くすることができる。加えて、ピッキング開口部１５の両側方には、閉鎖側壁部１３ｂの長辺側側壁部１２と略直交するようにして連接する部位が残されている。
【００２５】
また、本実施形態の各側壁部１２、１３は、上下方向に延びる縦壁部２１と、縦壁部２１の上縁部から外側に突出する上部フランジ２２と、上部フランジ２２と並行するようにして延在する下部フランジ２３と、上部フランジ２２と下部フランジ２３との間を連結する補強リブ２４とを備えている。尚、長辺側側壁部１２及び閉鎖側壁部１３ｂに関しては、下部フランジ２３が各長辺側側壁部１２及び閉鎖側壁部１３ｂ（縦壁部２１）のほぼ半分の高さとなる部位に設けられているが、開口側壁部１３ａに関しては、縦壁部２１が長辺側側壁部１２の半分の高さ位置よりも上方に存在するだけなので、下部フランジ２３が縦壁部２１の下縁部に沿って設けられている。また、閉鎖側壁部１３ｂに関しては、上部フランジ２２がピッキング開口部１５の縁に沿って設けられている。
【００２６】
各長辺側側壁部１２は、下部フランジ２３の下方において縦壁部２１から外側に突出する支脚部３１を備えている。そして、図１３に示すように、箱型容器１を同じ向きで上下に重ねた場合、上側の箱型容器１の支脚部３１の下面が、下側の箱型容器１の上部フランジ２２の上面に当接して支持される。これにより、箱型容器１の内側空間を極力狭めることなく、箱型容器１を上下に段積みする（スタッキングする）ことができ、箱型容器１に物品を収容した状態でも段積みして運搬・保管等を行うことができる。
【００２７】
また、各長辺側側壁部１２には、箱型容器１を交互に１８０度回転させて上下に重ねた場合に、上側に積まれる箱型容器１の前記支脚部３１を収容する収容凹部３２が設けられている。このため、図１４に示すように、箱型容器１を交互に１８０度回転させて上下に重ねることで、上側の箱型容器１の支脚部３１と、下側の箱型容器１の上部フランジ２２との干渉を回避させることができ、上側の箱型容器１の下部フランジ２３の下面と、下側の箱型容器１の上部フランジ２２の上面とが当接するまで、上側の箱型容器１の下半分を下側の箱型容器１の内側に収めることができる。これにより、箱型容器１を極力嵩張らないように上下に段積みする（ネスティングする）ことができ、空の箱型容器１の運搬・保管効率を高めることができる。
【００２８】
本実施形態では、支脚部３１及び収容凹部３２は、各長辺側側壁部１２においてそれぞれ２つずつ設けられている。より具体的に説明すると、図９等に示すように、長辺側側壁部１２のうち開口側壁部１３ａとの境界部近傍部位に第１支脚部３１ａが設けられている。これに対し、長辺側側壁部１２のうち閉鎖側壁部１３ｂとの境界部近傍部位、すなわち、長辺側側壁部１２の長手方向中央部を中心として、第１支脚部３１ａの対称位置に第１収容凹部３２ａが設けられている。また、長辺側側壁部１２の長手方向において、第１支脚部３１ａの閉鎖側壁部１３ｂ側に隣接する位置に第２収容凹部３２ｂが形成されるとともに、第１収容凹部３２ａの開口側壁部１３ａ側に隣接する位置、すなわち、長辺側側壁部１２の長手方向中央部を中心として、第２収容凹部３２ｂの対称位置に第２支脚部３１ｂが設けられている。そして、図１４に示すように、箱型容器１をネスティングすると、上側の箱型容器１の第１支脚部３１ａが下側の箱型容器１の第１収容凹部３２ａに収容され、上側の箱型容器１の第２支脚部３１ｂが下側の箱型容器１の第２収容凹部３２ｂに収容されることとなる。
【００２９】
また、図９等に示すように、縦壁部２１は基本的に平板状をなしており、このため、各長辺側側壁部１２の内面についても基本的に平坦面となっているが、本実施形態では、各長辺側側壁部１２の内面のうち開口側壁部１３ａ側の部位が、相対する長辺側側壁部１２間の距離を短くするようにして斜めに屈曲形成されている。さらに、上記のように、掃出し開口部３は、一対の長辺側側壁部１２の一方の内面と他方の内面との間にかけて形成されている。すなわち、各長辺側側壁部１２の内側面の開口側壁部１３ａ側の部位には、開口側壁部１３ａ側に向けて、本体部２の内側に傾斜して延び、掃出し開口部３の側縁部に連接するテーパ面１７が形成されている。本実施形態では、長辺側側壁部１２の内面において、当該テーパ面１７とその他の一般部とのなす角度は、１３５度以上、１７０度以下となっている。
【００３０】
また、図５等に示すように、底壁部１１の上面側には、長辺側側壁部１２の長手方向に沿って延びる底壁側ガイドリブ３５が短辺側側壁部１３の長手方向において等間隔で設けられている。換言すれば、長辺側側壁部１２の長手方向に沿って延在する溝部を短辺側側壁部１３の長手方向において所定間隔毎に形成することで、結果的に、底壁側ガイドリブ３５が形成されている。各底壁側ガイドリブ３５は、底壁部１１の相対する一対の短辺部のうち閉鎖側壁部１３ｂ側の短辺部から他方の開口側壁部１３ａ側の短辺部近傍にかけて切れ目なく連続的に形成されている。本実施形態では、隣接する底壁側ガイドリブ３５間の部位が溝部に相当する。また、底壁側ガイドリブ３５の掃出し開口部３側の端部は次第に突出長が小さくなるように緩やかに傾斜している。加えて、隣接する底壁側ガイドリブ３５間の溝部の底面には、上下に貫通する水抜き孔３６が形成されている。尚、底壁部１１の上面において底壁側ガイドリブ３５に交差するようなリブは形成されていない。
【００３１】
さらに、図１０等に示すように、底壁部１１の下面側には、格子状に突出する底リブ３７が設けられている。さらに、図７等に示すように、底リブ３７の突出長は、開口側壁部１３ａ側から閉鎖側壁部１３ｂ側に向けて次第に短くなっており、これに伴って、底リブ３７を含む底壁部１１の厚みが、開口側壁部１３ａ側から閉鎖側壁部１３ｂ側に向けて次第に薄くなっている。従って、箱型容器１を水平な設置面に設置した場合、底壁部１１の上面が、開口側壁部１３ａ側から閉鎖側壁部１３ｂ側に向けて下方傾斜するように構成されている。
【００３２】
次に、扉部材４について説明する。図１１、図１２等に示すように、扉部材４は、略板状のベース部４１と、ベース部４１の外周縁に沿ってベース部４１の外面（掃出し開口部３を閉鎖した状態において外側を向く面）から外側に延出する枠リブ４２とを備え、掃出し開口部３の下縁部に沿って本体部２に軸支されている。
【００３３】
ベース部４１の内面側には、扉部材４の高さ方向に沿って延在する扉側ガイドリブ４５が、扉部材４の横幅方向において等間隔で設けられている。換言すれば、扉部材４の高さ方向に沿って延在する溝部を扉部材４の横幅方向において所定間隔毎に形成することで、結果的に、扉側ガイドリブ４５が形成されている。各扉側ガイドリブ４５は、上辺部近傍から下辺部近傍にかけて切れ目なく連続的に形成されている。本実施形態では、隣接する扉側ガイドリブ４５間の部位が溝部に相当する。また、扉側ガイドリブ４５の両端部は次第に突出長が小さくなるように緩やかに傾斜している。加えて、隣接する扉側ガイドリブ４５間の溝部の底面には、扉部材４の厚み方向に貫通する水抜き孔４６が形成されている。尚、扉部材４の内面において扉側ガイドリブ４５に交差するようなリブは形成されていない。
【００３４】
また、扉部材４には、枠リブ４２のうち扉部材４の側辺部を構成する部位から側方に突出する左右一対の傾倒規制部４８が設けられている（図１２参照）。これに対し、図２等に示すように、本体部２の掃出し開口部３の周縁部には、扉部材４によって掃出し開口部３を閉鎖した場合に、扉部材４の厚み方向（扉部材４の回動方向）において、傾倒規制部４８と対向して当接又は近接する支持壁部４９が設けられている。傾倒規制部４８が支持壁部４９に当接して支持されることで、掃出し開口部３を閉鎖した扉部材４の内側への傾倒変位が防止される。
【００３５】
さらに、図１１等に示すように、扉部材４の外面側上部には、扉部材４とは別体として構成された施錠パーツ６１が左右方向にスライド可能に設けられている。本実施形態では、施錠パーツ６１は左右一対で設けられ、同形状の施錠パーツ６１が左右対称形状をなすようにして配置されている。施錠パーツ６１は、傾倒規制部４８からさらに側方に突出する係止突部６２を備えている。これに対して、図２等に示すように、本体部２には、扉部材４で掃出し開口部３を閉鎖した場合に、係止突部６２の先端部と合致する位置において、係止突部６２がスライドする方向に沿って貫通する係止孔６４が形成されている。そして、扉部材４で掃出し開口部３を閉鎖し、各施錠パーツ６１を外側にスライドさせることで、係止突部６２が係止孔６４に挿入される。これにより、掃出し開口部３を閉鎖した扉部材４の外側への傾倒変位が防止される。
【００３６】
尚、図９等に示すように、開口側壁部１３ａは、掃出し開口部３の両側方においても、掃出し開口部３の側縁部を画定する部位が、長辺側側壁部１２のテーパ面１７と連続するようにして存在している。さらに、開口側壁部１３ａは、扉部材４の厚み以上の厚み（長辺側側壁部１２の長手方向における幅）を有し、掃出し開口部３を閉鎖した扉部材４は、その外面が開口側壁部１３ａの外面と面一、又は、開口側壁部１３ａの外面よりも本体部２の内側に位置している。このため、閉鎖位置にある扉部材４が本体部２よりも外側に突出する場合のように、扉部材４が擦れたり、押圧されたりする等して、扉部材４が損傷し易くなってしまうといった事態が抑制される。また、閉鎖位置にある扉部材４は、掃出し開口部３の外周縁を画定する開口側壁部１３ａ及び底壁部１１の内周側に位置し、当該掃出し開口部３の周縁部を構成する開口側壁部１３ａ及び底壁部１１に対して、扉部材４の外周面が当接又は略当接した状態とされる。このため、掃出し開口部３の周縁部が歪むような変形を起こそうとした場合でも、掃出し開口部３の周縁部が扉部材４によって支持され、歪み変形が防止される。
【００３７】
さて、図１１、図１２等に示すように、扉部材４には、枠リブ４２のうち扉部材４の下辺部を構成する部位から下方に突出する扉側連結部５１が設けられている。扉側連結部５１は、扉部材４の下辺部の両端部近傍部位に設けられる左右一対の扉側軸受部５２と、扉部材４の下辺部の中央部位に設けられる補助軸受部５３とを備えている。
【００３８】
扉側軸受部５２は、扉部材４の厚みと同じ（又は若干小さい）直径を有し、中央に軸孔５２ａの形成された円筒体を扉部材４の下辺部に沿わせて近接配置するとともに、両者間の隙間を埋めるようにして連結したような形状をなしている。補助軸受部５３は、扉側軸受部５２とほぼ同様の断面形状を有するが、中央の軸孔５３ａが下方に開口している。また、扉部材４の内面側において、ベース部４１（本例では扉側ガイドリブ４５の先端縁ではなく扉側ガイドリブ４５間の溝部）と扉側軸受部５２及び補助軸受部５３との間に段差はなく、面一とされている。
【００３９】
これに対し、図９、図１０等に示すように、本体部２の底壁部１１には、掃出し開口部３の下縁部を構成する部位において、扉部材４と連結される本体側連結部５５が形成されている。本体側連結部５５においては、底壁部１１の開口側壁部１３ａ側の端縁を一部切り欠くことで、扉側軸受部５２を挿入可能な第１軸受収容部５６と、補助軸受部５３を挿入可能な第２軸受収容部５７とが形成されている。さらに、第１軸受収容部５６に挿入された扉側軸受部５２の軸孔５２ａに対して、長辺側側壁部１２の外面側から円柱状の軸ピン（図示略）を挿入可能にするとともに、当該軸ピンを支持する軸孔５８ａの形成された本体側軸受部５８が設けられている。また、第２軸受収容部５７には、補助軸受部５３の軸孔５３ａに挿入される円柱状の補助軸部５９が設けられている。
【００４０】
そして、補助軸受部５３の軸孔５３ａに第２軸受収容部５７の補助軸部５９を相対的に挿入し、補助軸部５９によって補助軸受部５３を軸支させるとともに、第１軸受収容部５６に挿入された扉側軸受部５２の軸孔５２ａと、これを挟む本体側軸受部５８の軸孔５８ａとにかけて軸ピンを挿入し、軸ピンによって扉側軸受部５２を軸支することで、掃出し開口部３の下縁部に沿って、扉部材４が本体部２に対して回動可能に連結されている（図２参照）。
【００４１】
また、本体側軸受部５８は、扉側軸受部５２と同様の断面形状をなしている。すなわち、扉部材４の厚みと同じ（又は若干小さい）直径を有し、中央に軸孔５８ａの形成された円筒体を底壁部１１の側辺部に近接配置するとともに、両者間の隙間を埋めるようにして連結したような形状をなしている。さらに、底壁部１１の上面側において、底壁側ガイドリブ３５間の溝部と本体側軸受部５８との間に段差はなく、面一とされている。加えて、図８に示すように、本実施形態では、扉部材４の厚みは、基本的に、底壁部１１の開口側壁部１３ａ側の部位（第１軸受収容部５６や第２軸受収容部５７の形成された部位）の厚みと同じとなっている。
【００４２】
さらに、扉側軸受部５２及び補助軸受部５３の突出長は、扉部材４の厚みよりも若干長い程度である。このため、扉部材４の下辺部と底壁部１１（本体側軸受部５８）との間に極力隙間が形成されないようになっている（図５参照）。加えて、本体側軸受部５８の突出長（第１軸受収容部５６及び第２軸受収容部５７が形成されることで相対的に底壁部１１から突出して見える部位の突出長）についても、底壁部１１の厚みよりも若干長い程度である。このため、扉側軸受部５２及び補助軸受部５３と、第１軸受収容部５６及び第２軸受収容部５７との間に極力隙間が形成されないようになっている。
【００４３】
以上のような構成により、扉部材４は、掃出し開口部３を閉鎖した状態から外側に向けて９０度以上開くことができる上、例えば、扉部材４を、その内面の角度が、底壁部１１の上面の角度と同じになるまで回動させることで、底壁部１１の上面と扉部材４の内面とをほぼ連続した平坦面とすることができる。さらに、扉部材４を９０度以上開いたとしても、扉側軸受部５２及び補助軸受部５３が底壁部１１の上面から突出したり、本体側軸受部５８が扉部材４の内面から突出したりすることはなく、底壁部１１の上面と扉部材４の内面とをほぼ連続した面とすることができる。例えば、図６に示すように、底壁部１１を水平面に設置し、開いた扉部材４を傾斜面に設置した場合には、底壁部１１の上面と扉部材４の内面とをほぼ連続した屈曲面とすることができる。尚、扉部材４の厚みは、底壁部１１の開口側壁部１３ａ側の部位の厚みと同じであるため、水平な設置面に箱型容器１を設置して扉部材４を開くと、図８等に示すように、扉部材４の内面が略水平に延在した回動位置で扉部材４の外面が全体的に設置面に接地することとなる。
【００４４】
以上詳述したように、本実施形態によれば、一方の短辺側側壁部１３（開口側壁部１３ａ）において、下縁部が底壁部１１の上面によって画定される掃出し開口部３が形成されている。さらに、当該掃出し開口部３を開閉する扉部材４が設けられており、当該扉部材４を外側に所定角度開くことで、扉部材４の内面と底壁部１１の上面とがほぼ連続した平坦面となるように構成されている。その上、扉部材４の内面と、底壁部１１の上面とが平坦となった状態からさらに扉部材４を大きく開いた場合にも、扉部材４（扉側連結部５１）が底壁部１１の上面から突出したり、底壁部１１（本体側連結部５５）が扉部材４の内面から突出したりすることなく、扉部材４の内面と、底壁部１１の上面とをほぼ連続した屈曲面とすることができる。このため、箱型容器１に収容されている物品を掃出し開口部３から取出す場合において、物品を持ち上げることなく底壁部１１の上面から扉部材４の内面にかけて滑らせて、比較的スムースに箱型容器１の外部にまで至らせることができる。このように、物品を開いた状態の扉部材４の内面の上にまで至らせたならば、作業者は物品の真上に位置するようにして物品を持ち上げることができる。このため、例えば、掃出し開口部３の下縁部が底壁部１１の上面よりも上方に位置して両者間に段差がある、又は、扉部材４を開いたとしても扉部材４の内面が底壁部１１の上面よりも上方に位置して両者間に段差がある、或いは扉部材４が設けられていないような場合のように、掃出し開口部３を介して箱型容器１から物品を直接取上げるべく、比較的無理な体勢で物品を斜め上方に持ち上げなければならないといった事態を回避することができる。従って、掃出し開口部３を介して箱型容器１から物品を取出す際の作業者の負担を軽くするとともに、作業性の飛躍的な向上を図ることができる。
【００４５】
また、開いた状態における扉部材４の内面と、底壁部１１の上面とが連続面となることで、底壁部１１の上面と扉部材４の内面との境目における物品の移行も比較的スムースに行うことができ、物品のガタツキ等に起因する各種不具合を抑制することができる。さらには、開状態にある扉部材４の内面に物品を載せた上で、該物品を底壁部１１の上面に向けて滑らせるようにして箱型容器１に収容することもできる。加えて、扉部材４が設けられていることで、物品を掃出し開口部３から取出す際に、物品が接地面に接触してしまうといった事態を抑制することができ、物品を衛生的に運搬することができる。
【００４６】
また、扉部材４で掃出し開口部３を閉鎖した状態とすれば、当該扉部材４によって、掃出し開口部３の周縁部の変形等を抑制することができる。従って、本実施形態のように掃出し開口部３を比較的大きく形成した場合でも、扉部材４を閉状態とすることで箱型容器１の強度を高めることができ、運搬時や保管時等の形状の安定化を図ることができる。
【００４７】
尚、本実施形態では、扉部材４の厚みは、底壁部１１の開口側壁部１３ａ側の部位の厚みと同じであることから、扉部材４を開くことで、底壁部１１の下面と、扉部材４の外面とをほぼ連続した平坦面とすることができる。このため、開かれた扉部材４の接地面積を増やすことができ、扉部材４の内面の上に物品を載せたり滑らせたりしたときに、扉側連結部５１や本体側連結部５５に加わる負担を抑制することができる。従って、箱型容器１の耐久性を向上させることができる。
【００４８】
また、本実施形態では、掃出し開口部３は、相対する一対の長辺側側壁部１２のうち一方の長辺側側壁部１２の内面から他方の長辺側側壁部１２の内面にかけて形成されている。このため、例えば、掃出し開口部３の両側方において、長辺側側壁部１２の内面に対して直交して連接する短辺側側壁部１３（開口側壁部１３ａ）を残した場合のように、掃出し開口部３を介して箱型容器１に収容されている物品を取出す際に、物品が掃出し開口部３の両側方に位置する短辺側側壁部１３の内面に引っ掛かってしまうといった事態を回避することができる。さらに、掃出し開口部３が極力大きく構成されることで、掃出し開口部３を介して箱型容器１の奥の方まで手が届き易くなる。従って、掃出し開口部３を介して箱型容器１から物品を取出す際の作業性をより一層向上させることができる。
【００４９】
また、長辺側側壁部１２は、掃出し開口部３の形成された開口側壁部１３ａ側の部位の内面が屈曲している。これにより、掃出し開口部３の周縁部（特に両側縁部）の強度を向上させることができる。さらに、長辺側側壁部１２の内面のうち掃出し開口部３の側縁部と連接する部位は、掃出し開口部３に向けて内側に傾斜して延びるテーパ面１７となっていることから、掃出し開口部３を介して箱型容器１に収容されている物品を取出す際に、物品が長辺側側壁部１２のテーパ面１７に当接しても、当該テーパ面１７によって物品の移動が阻害されることなく、むしろ、物品が比較的スムースに掃出し開口部３側へと案内される。従って、掃出し開口部３を介しての物品の取出し作業性の低下を抑制しつつ、掃出し開口部３周縁の強度の向上を図ることができる。
【００５０】
また、扉部材４の内面には、扉部材４の高さ方向に沿って延びる複数の扉側ガイドリブ４５が形成されている。このため、開放された扉部材４の内面上に物品を滑らせた場合の摩擦抵抗を低減させるとともに、物品が扉部材４の内面に吸着する等の事態を抑止することができる。さらに、扉側ガイドリブ４５は、掃出し開口部３を介して物品を取出す際に物品を底壁部１１から扉部材４に滑り出させる方向に沿って延びているため、当該取出し作業に際して物品を扉部材４の内面上に滑らせても、物品ががたついたり、扉側ガイドリブ４５に引っ掛かったりする等の事態を抑制することができる。従って、掃出し開口部３を介して箱型容器１から物品を取出す際の作業性をより一層向上させることができる。
【００５１】
加えて、底壁部１１の上面にも、掃出し開口部３側に向けて延びる複数の底壁側ガイドリブ３５が形成されている。このため、底壁部１１上を滑る物品の摩擦抵抗を低減させる等の作用効果が奏され、掃出し開口部３を介して箱型容器１から物品を取出す際の作業性をより一層向上させることができる。また、箱型容器１の内側を清掃する場合に、扉部材４を開き、隣接する底壁側ガイドリブ３５間の溝部に入った埃等を掃出し開口部３から掃き出すようにして比較的容易に除去することができる。
【００５２】
さらに、本実施形態では、底壁部１１や扉部材４に水抜き孔３６、４６が形成されているが、底壁側ガイドリブ３５や扉側ガイドリブ４５を形成することで、掃出し開口部３から物品を取出す場合に物品が滑ることとなるガイドリブ３５、４５の先端縁と、水抜き孔３６、４６の開口周縁部とを離間させることができる。従って、底壁部１１の上面や扉部材４の内面上を滑る物品が水抜き孔３６、４６の開口周縁部に引っ掛かってしまうといった事態を抑制することができる。
【００５３】
また、スタッキング用の支脚部３１、及び、ネスティング時に支脚部３１を収容するための収容凹部３２のうち、支脚部３１の方が収容凹部３２よりも掃出し開口部３の形成された開口側壁部１３ａに近い位置に設けられている。このため、補強用のリブ等を別途設けなくとも、支脚部３１を活用して、掃出し開口部３の周縁部の強度を向上させることができる。
【００５４】
尚、上記実施形態の記載内容に限定されず、例えば次のように実施してもよい。勿論、以下において例示しない他の応用例、変更例も当然可能である。
【００５５】
（ａ）上記実施形態では、一対の短辺側側壁部１３のうち一方に対応して掃出し開口部３が形成されているが、掃出し開口部３が形成される側壁部１２、１３は特に限定されるものではなく、例えば、長辺側側壁部１２に形成されることとしてもよいし、一対の短辺側側壁部１３の両方にそれぞれ掃出し開口部３が形成されることとしてもよい。但し、箱型容器１の強度を確保するべく、掃出し開口部３の形成された側壁部の両側方には、底壁部１１から一体的に延出する固定の側壁部（掃出し開口部３が形成されていない側壁部）が存在するように構成することとする。
【００５６】
（ｂ）上記実施形態において、本体部２に対して扉部材４を回動可能に連結する構成については特に限定されるものではなく、扉部材４を開いて底壁部１１の上面と扉部材４の内面とをほぼ連続した平坦面（面一）とすることができるように構成されていればよい。但し、扉側軸受部５２及び補助軸受部５３は、扉部材４の内面よりも内側に突出することなく（望ましくは扉部材４の内面と面一となるように延出形成され）、かつ、その厚みは扉部材４の厚み以下であることとする。さらに、本体側軸受部５８は、底壁部１１の上面よりも上方に突出することなく（望ましくは底壁部１１の上面と面一となるように延出形成され）、かつ、その厚みは、底壁部１１の掃出し開口部３に隣接する部位の厚み以下であることとする。
【００５７】
また、補助軸受部５３を省略することも可能であるが、補助軸受部５３を設けることで、軸支される面積を増やすことができる上、軸ピンを使用し難い扉部材４の横幅方向中央部においても比較的簡単に軸支を行うことができるため、構成の複雑化等を抑制しつつ、耐久性の向上や扉部材４の開閉の安定感の向上等を図ることができる。また、補助軸受部５３の軸孔５２ａは下方に開口しているため、例えば、箱型容器１に収容された物品によって扉部材４の下部が外側に押された場合に、当該扉部材４の下部を扉側軸受部５２と協働で支持することができる。従って、扉側軸受部５２や軸ピンの損傷を抑制することができる。さらには、例えば、補助軸受部５３の軸孔５２ａが扉部材４の外面側に開口している場合に比べ、扉部材４を本体部２に取付ける際の作業性の向上を図ることができる。
【００５８】
さらに、扉部材４の横幅方向における扉側軸受部５２及び補助軸受部５３の幅や数は特に限定されるものではなく、例えば、補助軸受部５３が２カ所に形成されもよい。
【００５９】
（ｃ）上記実施形態では、長辺側側壁部１２の内側面の開口側壁部１３ａ側の部位にテーパ面１７が形成されているが、当該内側面にてテーパ面１７を形成することなく真っ直ぐに延ばしてもよい。但し、掃出し開口部３の周縁部の強度の向上を図るべく、長辺側側壁部１２においてテーパ面１７が形成されるように構成することが望ましい。また、上記実施形態では、掃出し開口部３が相対する一対の長辺側側壁部１２の内側面間にかけて形成されているが、掃出し開口部３の両側方においても長辺側側壁部１２の内側面に対して略直交して連接する開口側壁部１３ａが存在するように構成してもよい。但し、長辺側側壁部１２の内面と掃出し開口部３の側辺部とが（比較的緩やかな角度で）連接するような構成とすることで、掃出し開口部３を介して物品を取出す作業性の向上を図ることができる。
【００６０】
（ｄ）上記実施形態では、底壁部１１の上面及び扉部材４の内面において底壁側ガイドリブ３５及び扉側ガイドリブ４５が等間隔で形成されているが、特に規則的な間隔で設けられていなくてもよい。また、底壁側ガイドリブ３５や扉側ガイドリブ４５が形成されているとは認識されないような大きなピッチで、底壁部１１の上面及び扉部材４の内面において、扉部材４の回転軸線に対して直交する方向に延びる溝部を複数形成してもよい。加えて、底壁側ガイドリブ３５及び扉側ガイドリブ４５を省略することも可能である。
【００６１】
（ｅ）上記実施形態では、底壁部１１の厚みが開口側壁部１３ａから閉鎖側壁部１３ｂに向けて次第に薄くなるよう構成されているが、箱型容器１を水平な設置面に設置しても底壁部１１の上面が水平に延在するように構成してもよい。但し、底壁部１１の上面が、開口側壁部１３ａ側から閉鎖側壁部１３ｂ側に向けて下方傾斜する場合には、箱型容器１に収容された物品が扉部材４に寄りかかるといった事態を抑制することができ、運搬時等に物品の重さが扉部材４に付加されることに起因する扉部材４の耐久性の低下を抑制したり、扉部材４を開けた際に物品が雪崩るように出てきてしまうといった事態を抑制したりすることができる。また、上記実施形態では、扉部材４の厚みと、底壁部１１の開口側壁部１３ａ側の部位の厚みとが同じであったが、扉部材４を開いて扉部材４の内面と、底壁部１１の上面とをほぼ連続した面とすることができる構成であれば、扉部材４の厚みを、底壁部１１の開口側壁部１３ａ側の部位の厚みよりも小さく形成してもよい。
【００６２】
（ｆ）上記実施形態では、ネスティング状態において、上側の箱型容器１の下部フランジ２３と、下側の箱型容器１の上部フランジ２２とが上下に当接して支持される構成となっているが、上側の箱型容器１の支脚部３１の下面と、下側の箱型容器１の収容凹部３２の底面とが上下に当接して支持されるように構成してもよい。
【００６３】
また、上記実施形態において、扉部材４を閉鎖位置にて保持しておくための構成（施錠パーツ６１等）は特に限定されるものではなく、例えば、施錠パーツ６１が施錠位置側に付勢されるよう構成してもよい。加えて、底壁部１１や扉部材４等に形成される水抜き孔３６、４６を省略してもよい。
【００６４】
（ｇ）上記実施形態では、箱型容器１はポリプロピレンにより構成されているが、ポリエチレン、ＰＥＴ、ポリアミド等その他の樹脂材料により構成されることとしてもよい。
【符号の説明】
【００６５】
１…箱型容器、２…本体部、３…掃出し開口部、４…扉部材、１１…底壁部、１２…長辺側側壁部、１３…短辺側側壁部、１３ａ…開口側壁部、１７…テーパ面、３１…支脚部、３２…収容凹部、３５…底壁側ガイドリブ、４５…扉側ガイドリブ、５１…扉側連結部、５５…本体側連結部。
【図１】
0005711051.tif 000002
【図２】
0005711051.tif 000003
【図３】
0005711051.tif 000004
【図４】
0005711051.tif 000005
【図５】
0005711051.tif 000006
【図６】
0005711051.tif 000007
【図７】
0005711051.tif 000008
【図８】
0005711051.tif 000009
【図９】
0005711051.tif 000010
【図１０】
0005711051.tif 000011
【図１１】
0005711051.tif 000012
【図１２】
0005711051.tif 000013
【図１３】
0005711051.tif 000014
【図１４】
0005711051.tif 000015